(57)【要約】  【課題】  電気回路側への接続を短時間かつ容易に行える回路遮断器を提供する。  【解決手段】  回路遮断器を、遮断器ケース内の固定接点台側の負荷端子と可動接点台側の負荷端子とにそれぞれ、電気回路側の既設端子に接続するための遮断器端子を取付けた構成とし、該それぞれの遮断器端子を、負荷端子に接続される負荷端子接続部と、該負荷端子接続部と平面的に異なった位置で電気回路側の既設端子側に接続される既設端子側接続部とを備えた構成とする。【選択図】  図１
2006134652.tif 000002
【特許請求の範囲】
【請求項１】
電気回路に接続され該電気回路を過電流から保護する回路遮断器であって、
遮断器ケース内に、固定接点台に接続される第１の負荷端子と、可動接点台に接続される第２の負荷端子とを備えた回路遮断器本体部と、
上記第１の負荷端子に接続される負荷端子接続部と、該負荷端子接続部とは平面的に異なった位置に設けられ電気回路側の第１の既設端子側に接続される既設端子側接続部とを有する第１の遮断器端子と、
上記第２の負荷端子に接続される負荷端子接続部と、該負荷端子接続部とは平面的に異なった位置に設けられ電気回路側の第２の既設端子側に接続される既設端子側接続部とを有する第２の遮断器端子と、
を備えた構成を特徴とする回路遮断器。
【請求項２】
上記第１、第２の遮断器端子はそれぞれ、Ｌ字状断面を有し、直交する両部分の先端部側に上記負荷端子接続部と上記既設端子接続部がそれぞれ構成されている請求項１に記載の回路遮断器。
【請求項３】
上記第１、第２の遮断器端子はそれぞれ、負荷端子接続部が設けられる部材と、既設端子側接続部が設けられる部材とが別個の部材とされ、相互間を結合手段により着脱可能な構成である請求項１に記載の回路遮断器。
【発明の詳細な説明】
【技術分野】
【０００１】
本発明は、電気回路に接続され該電気回路を過電流から保護する回路遮断器に係り、特に、該回路遮断器を該電気回路側に接続するための技術に関する。
【背景技術】
【０００２】
従来、例えば回路遮断器を交換するときなど、回路遮断器を電気回路側に再接続する場合は、該回路遮断器として、交換前の回路遮断器と同じ寸法仕様のものなど、該電気回路の既設端子に合う端子を備えたものを選んで接続するのが一般的である。図４に、電気回路側への従来の回路遮断器の接続構成の例を示す。図４で、回路遮断器１'は、遮断器ケース２１内に、固定接点台側に接続される負荷端子２２と可動接点台側に接続される負荷端子２３と備え、負荷端子２２には接続用端子２４がビス２６により接続され、負荷端子２３には接続用端子２５がビス２７により接続される。接続用端子２４は、電気回路側の配電盤に設けられた既設端子３０に配線ボルト２８により接続され、接続用端子２５は、同既設端子３１に配線ボルト２９により接続される。この場合、負荷端子２２と既設端子３０とは平面的に互いに略同じ位置にあり、同様に、負荷端子２３と既設端子３１とは平面的に互いに略同じ位置にある。このため、接続用端子２４、２５はそれぞれ、略直線状のものが用いられ、両端部がそれぞれ、負荷端子と既設端子に接続される。また、交換前の回路遮断器と同じ寸法仕様のものでないものを接続する場合には、電気回路側で配電盤の構造や配線接続を変更したり、配電盤や配線を取替えたりすることで対応するようにしている。本発明に関連した従来技術としての特許文献や非特許文献は、現時点では見当たらない。
【発明の開示】
【発明が解決しようとする課題】
【０００３】
上記従来技術においては、例えば回路遮断器を交換する場合、電気回路側の既設端子に合う端子（回路遮断器端子）のものを選んだり、配電盤の構造や配線接続を変更したり、配電盤や配線を取替えたりする必要があるため、回路遮断器の種別や性能が端子寸法の点から制限されたり、適合する仕様のものを入手するために時間がかかったり、電気回路側において配電盤工事や配線工事のために時間や費用がかかったりするなどの不都合があった。
本発明の課題点は、上記従来技術の状況に鑑み、回路遮断器において、交換などで電気回路側の既設端子に接続を行う場合にも、電気回路側の既設端子に合う回路遮断器を選んだり、電気回路側において配電盤の構造や配線接続を変更したり、配電盤や配線を取替えたりする必要がないようにすることである。
本発明の目的は、かかる課題点を解決し、電気回路側への接続を、寸法上の制限などを受けずに、短時間にかつ容易に行える回路遮断器を提供することにある。
【課題を解決するための手段】
【０００４】
上記課題点を解決するために、本発明では、回路遮断器として、遮断器ケース内の固定接点台側の負荷端子と可動接点台側の負荷端子とにそれぞれ、電気回路側の既設端子に接続するための遮断器端子を取付けた構成とし、該遮断器端子としてはそれぞれ、上記負荷端子に接続される負荷端子接続部と、該負荷端子接続部と平面的に異なった位置に設けられ電気回路側の既設端子側に接続される既設端子側接続部とを備えた構成とする。
【発明の効果】
【０００５】
本発明によれば、回路遮断器の交換や新設などを行うとき、電気回路側の既設端子に合う回路遮断器を選んだり、電気回路側において配電盤の構造や配線接続を変更したり、配電盤や配線を取替えたりする必要がなくなり、回路遮断器の電気回路側への接続を、短時間にかつ容易に行うことが可能となる。
【発明を実施するための最良の形態】
【０００６】
以下、本発明の実施例につき、図面を用いて説明する。
【実施例１】
【０００７】
図１、図２は、本発明の第１の実施例としての回路遮断器の構成例を示す図である。図１は、電気回路側において配電盤内の既設端子に接続されるスタッドがバー型のスタッド場合（以下、バースタッドという）、図２は、丸型のスタッド（以下、丸スタッドという）の場合である。
【０００８】
図１において、１は回路遮断器、２１は遮断器ケース、２２は、遮断器ケース２１内にあって固定接点台側に接続される第１の負荷端子、２３は、同じく遮断器ケース２１内にあって可動接点台側に接続される第２の負荷端子、４１はＬ字状断面を有する第１の遮断器端子、４６はＬ字状断面を有する第２の遮断器端子、４１ａは、遮断器端子４１のＬ字状断面のＺ軸方向の部分、４１ｂは、第１の遮断器端子４１のＬ字状断面のＸ軸方向の部分、４６ａは、遮断器端子４６のＬ字状断面のＺ軸方向の部分、４６ｂは、第２の遮断器端子４６のＬ字状断面のＸ軸方向の部分、２６は、第１の遮断器端子４１のＬ字状断面のＺ軸方向部分４１ａに位置する負荷端子接続部を負荷端子２２に固定するビス、２７は、第２の遮断器端子４６のＬ字状断面のＺ軸方向部分４６ａに位置する負荷端子接続部を負荷端子２３に固定するビス、４２、４７はバースタッド、４３、４８は絶縁台、３０、３１は電気回路側の配電盤に設けられ、バースタッド４２、４７が接続される既設端子、４５は、第１の遮断器端子４１のＬ字状断面のＸ軸方向部分４１ｂに位置する既設端子側接続部をバースタッド４２に接続するためのビス、４９は、第２の遮断器端子４６のＬ字状断面のＸ軸方向部分４６ｂに位置する既設端子側接続部をバースタッド４７に接続するためのビス、２８は、バースタッド４２を既設端子３０に接続するための配線ボルト、２９は、バースタッド４７を既設端子３１に接続するための配線ボルト、５０、５１はスペーサ、９は配電盤の盤面部材、６１、６２はそれぞれ、スペーサ５０、５１を貫通して遮断器ケース２１を含む遮断器本体部を盤面部材９側に固定するビスである。
【０００９】
第１の遮断器端子４１、第２の遮断器端子４６のそれぞれにおいて、上記負荷端子接続部と上記既設端子側接続部は互いに平面的に異なった位置すなわちＺ軸に垂直な平面内で互いに異なった位置に設けられ、負荷端子接続部は負荷端子２２、２３それぞれの遮断器端子取付け部に適合する位置にあり、既設端子側接続部は既設端子３０、３１の位置やバースタッド４２、４７の遮断器端子取付け部に適合する位置にある。遮断器ケース２１を含む遮断器本体部、負荷端子２２に接続された第１の遮断器端子４１及び負荷端子２３に接続された第２の遮断器端子４６が回路遮断器を構成し、既設端子３０、３１、バースタッド４２、４７及び絶縁台４３、４８は、電気回路側の配電盤内に設けられる。
【００１０】
また、図２において、７０、７４は丸スタッド、７２、７６は絶縁管、７３、７７は電気回路側の配電盤に設けられ、丸スタッド７０、７４が接続される既設端子、８１は、第１の遮断器端子４１のＬ字状断面のＸ軸方向部分４１ｂに位置する既設端子側接続部を丸スタッド７０に結合するためのナット、８２は、第２の遮断器端子４６のＬ字状断面のＸ軸方向部分４６ｂに位置する既設端子側接続部を丸スタッド７４に結合するためのナット、７１は、丸スタッド７０を既設端子７３に接続するための配線ナット、７５は、丸スタッド７４を既設端子７７に接続するための配線ナットである。第１の遮断器端子４１、第２の遮断器端子４６のそれぞれにおいて、上記負荷端子接続部と上記既設端子側接続部は互いに平面的に異なった位置すなわちＺ軸に垂直な平面内で互いに異なった位置に設けられ、負荷端子接続部は負荷端子２２、２３それぞれの遮断器端子取付け部に適合する位置にあり、既設端子側接続部は、既設端子７３、７７それぞれが丸スタッド７０、７４と接続される位置や該丸スタッド７０、７４の遮断器端子取付け部に適合する位置にある。図２においても、遮断器ケース２１を含む遮断器本体部、負荷端子２２に接続された第１の遮断器端子４１及び負荷端子２３に接続された第２の遮断器端子４６が回路遮断器を構成し、既設端子７３、７７、丸スタッド７０、７４及び絶縁管７２、７６は、電気回路側の配電盤内に設けられる。
【００１１】
上記図１、図２の構成において、例えば、回路遮断器を交換するとき、これまで使用していた第１の回路遮断器を、より小形の第２の回路遮断器に交換する場合は、該第２の回路遮断器は、第１の遮断器端子４１、第２の遮断器端子４６のＬ字状断面のＸ軸方向部分４１ｂ、４６ｂがそれぞれ、第１の回路遮断器の場合よりも長くされることになる。
【００１２】
上記第１の実施例によれば、電気回路側に対して回路遮断器の交換や新設などの設置作業を行うとき、電気回路側の既設端子に合う回路遮断器を選んだり、電気回路側において配電盤の構造や配線接続を変更したり、配電盤や配線を取替えたりする必要がなくなるため、回路遮断器の設置作業を短時間かつ容易に行うことが可能となる。回路遮断器の選定自由度も拡大し、電気回路側に適したものを選ぶことができる。また、回路遮断器のコストも含め、設置費用の増大を抑えることができる。
【実施例２】
【００１３】
図３は、本発明の第２の実施例としての回路遮断器の構成例を示す図である。本第３の実施例は、負荷端子接続部が設けられる部材と、既設端子側接続部が設けられる部材とを別個の部材とし、相互間を結合手段によって着脱できるようにした場合の例である。
【００１４】
図３において、４１ａ１は、第１の遮断器端子４１内においてＬ字状断面のＺ軸方向部分を形成し負荷端子接続部が設けられる部材、４１ｂは、該第１の遮断器端子４１内においてＬ字状断面のＸ軸方向部分を形成し既設端子側接続部が設けられる部材部分、４１ａ２は、同じく該第１の遮断器端子４１内においてＬ字状断面のＺ軸方向部分を形成し部材部分４１ｂと一体状に結合される部材部分、８５は、部材４１ａ１の先端部と部材部分４１ａ２の先端部とを突き合わせ状態で着脱可能に結合する結合手段としての接続子、８６は、該接続子８５の周囲に設けられ弾性復元力を該接続子８５に作用させる結合手段としてのばね材、４６ａ１は、第２の遮断器端子４６内においてＬ字状断面のＺ軸方向部分を形成し負荷端子接続部が設けられる部材、４６ｂは、該第２の遮断器端子４６内においてＬ字状断面のＸ軸方向部分を形成し既設端子側接続部が設けられる部材部分、４６ａ２は、同じく該第２の遮断器端子４６内においてＬ字状断面のＺ軸方向部分を形成し部材部分４６ｂと一体状に結合される部材部分、８７は、部材４６ａ１の先端部と部材部分４６ａ２の先端部を突き合わせ状態で着脱可能に結合する結合手段としての接続子、８８は、該接続子８７の周囲に設けられ弾性復元力を該接続子８７に作用させる結合手段としてのばね材である。他の部分の構成は、上記図１の場合と同様である。部材部分４１ａ２は、第１の遮断器端子４１内において、部材部分４１ｂと一体状に結合されることで既設端子側接続部が設けられる部材を形成している。同様に、部材部分４６ａ２は、第２の遮断器端子４６内において、部材部分４６ｂと一体状に結合されることで既設端子側接続部が設けられる部材を形成している。
【００１５】
上記図３の構成において、例えば、回路遮断器を交換や新設等を行う場合は、まず、第１の遮断器端子４１のうち、部材部分４１ａ２と部材部分４１ｂとが一体状に結合されたＬ字状断面の部材を、既設端子３０に接続されたバースタッド４２に対してビス４５により接続するとともに、第２の遮断器端子４６のうち、部材部分４６ａ２と部材部分４６ｂとが一体状に結合されたＬ字状断面の部材を、既設端子３１に接続されたバースタッド４７に対してビス４９により接続し、部材部分４１ａ２の先端部と部材部分４６ａ２の先端部とのそれぞれに、結合手段としての接続子８５、ばね材８６、接続子８７、ばね材８８をセットする。次に、回路遮断器本体側に接続された第１の遮断器端子４１内の部材４１ａ１と第２の遮断器端子４６内の部材４６ａ１とをそれぞれ、その先端部を上記接続子８５、８７中に挿入し、それぞれを部材部分４１ａ２、部材部分４６ａ２の先端部と突き合わせて電気的に結合する。この状態で、予めセットされているスペーサ５０、５１をそれぞれ、ビス６１、６２により締付けて回路遮断器を電気回路側に取付け、交換作業を終了する。接続子８５、８７、ばね材８６、８８は、部材４１ａ１側と部材４６ａ１側とにセットしておき、該接続子８５、８７に、部材部分４１ａ２の先端部と部材部分４６ａ２の先端部をそれぞれ挿入させるようにしてもよい。
【００１６】
上記第２の実施例によれば、上記第１の実施例の場合と同様、回路遮断器の設置作業を短時間かつ容易に行うことができる。特に、接続子８５、８７、及びばね材８６、８８から成る結合手段を用いた構成のため、ビスやナットの着脱を行うことなく、ワンタッチ的な動作により回路遮断器を電気回路側に対して容易に着脱することができる。また、回路遮断器の選定自由度も拡大し、電気回路側に適したものを選ぶことができる。回路遮断器のコストも含め、設置費用の増大も抑えることができる。
【図面の簡単な説明】
【００１７】
【図１】本発明の第１の実施例としての回路遮断器の構成例図である。
【図２】本発明の第１の実施例としての回路遮断器の他の構成例図である。
【図３】本発明の第２の実施例としての回路遮断器の構成例図である。
【図４】従来の回路遮断器の接続構成例を示す図である。
【符号の説明】
【００１８】
１…回路遮断器、
２１…遮断器ケース、
２２…第１の負荷端子、
２３…第２の負荷端子、
３０、３１、７３、７７…既設端子、
４１…第１の遮断器端子、
４６…第２の遮断器端子、
４２、４７…バースタッド、
４３、４８…絶縁台、
２８、２９…配線ボルト、
５０、５１…スペーサ、
９…配電盤の盤面部材、
２６、２７、４５、４９、６１、６２…ビス、
７０、７４…丸スタッド、
７２、７６…絶縁管、
８１、８２…ナット、
７１、７５…配線ナット、
８５、８７…接続子、
８６、８８…ばね材。
【図１】
2006134652.tif 000003
【図２】
2006134652.tif 000004
【図３】
2006134652.tif 000005
【図４】
2006134652.tif 000006